Podtech/llm-jp-corpus-v4-ja_patent huggingface dataset:
(57)【要約】【課題】帯状金属板を厚み方向に波形に曲折して形成したハニカム構造体において、その表面積を可及的に大きくすること。【解決手段】帯状金属板をその厚み方向に曲折して波形のエレメントを形成し、そのエレメントどうしを曲折部において、エレメントの長さに比べて実質的に線接触のみで接触させ、その接触部を互いにろう付け固定する。【選択図】        図１
2004216240.tif 000002
【特許請求の範囲】
【請求項１】
帯状金属板をその厚み方向に曲折して波形のエレメントが形成され、
そのエレメントどうしがその曲折部において、エレメントの全長に比べて実質的に線接触のみで接触し、その接触部が互いにろう付けされたハニカム構造体。
【発明の詳細な説明】
【０００１】
【発明の属する技術分野】
本発明は、排気ガス浄化用触媒その他の触媒が表面に、担持、塗布される金属製ハニカム構造体に関する。
【０００２】
【従来の技術】
排気ガスの浄化その他に用いられる触媒担持用のハニカム構造体は、アルミニュームやステンレス鋼板等の帯状金属板を台形波状に曲折し、図６，図７に示す如くその頂面どうしを背中合わせに接触し、その接触部を一体にろう付け固定していた。
【０００３】
【発明が解決しようとする課題】
従来のハニカム構造体は、夫々台形波状に形成されたエレメント１，２の頂部どうしを図７の如く接触させ、その接触部をろう付けしたものであるから、そのろう付け部においては第１のエレメント１も第２のエレメント２も共に片面のみが露出することになり、接合部は流体に接しないことになる。そのため、実質的表面積が少なくなる欠点があった。
そこで本発明は、可能な限り表面積の大きなハニカム構造を提供することを課題とする。
【０００４】
【課題を解決するための手段】
本発明は、帯状金属板をその厚み方向に曲折して波形のエレメントが形成され、そのエレメントどうしがその曲折部において、エレメントの全長に比べて実質的に線接触のみで接触し、その接触部が互いにろう付けされたハニカム構造体である。
【０００５】
【発明の実施の形態】
次に、図面に基づいて本発明の実施の形態につき説明する。
図１は本発明のハニカム構造の要部平面図であり、図２はそのＩＩ部拡大図である。また、図３は第１のエレメント１と第２のエレメント２とにより本ハニカム構造体を形成する説明図である。
このハニカム構造体は、多数の帯状金属板を波形に曲折してエレメント１およびエレメント２を形成する。夫々の波形は、その頂部において平坦面が存在しないよう、台形の頂部が湾曲して凹陥した形状を有する。
【０００６】
そしてこのような一対のエレメント１とエレメント２とを図３に示す如く互いに背中合わせに接触させ、その接触部を図２に示す如くろう付けして、ろう材４のフィレットを形成する。その接触部は各エレメントの全長に比べて、実質的に線状に極めて狭い面積で接触される。即ち、夫々の帯状金属板を波形に曲折し、その曲折面で互いに接触するので、図２の平面視では接触部は点状であるが、紙面方向に奥行きがあるので、その接触部は立体的には線状である。
このような多数のエレメント２を並列して互いにろう付けすることにより、図１に示すハニカム構造を製造することができる。
このハニカム構造体には、ろう付け後に排気ガス浄化用等の触媒が、常法により担持または塗布される。
【０００７】
次に、図４は本発明の他の実施の形態を示す平面図であり、このエレメント１，エレメント２は夫々滑らかな波形に形成され、それが１８０°位相をずらした状態で互いに接触し、その接触部がろう付け固定されるものである。
次に、図５は本発明のさらに他の実施の形態を示す平面図であり、この例は、滑らかに波形に曲折されたエレメント１，エレメント２が波の立ち上がりおよび立ち下がり面で線接触し、その線接触部３がろう付け固定されたものである。
【０００８】
【発明の作用・効果】
本発明のハニカム構造体は、帯状金属板をその厚み方向に曲折して波形に形成してエレメントを構成し、そのエレメントどうしを曲折部において実質的に線接触のみで接触するようにし、その接触部を互いにろう付け固定したものである。そのため、ハニカム構造体の露出表面積が従来のそれに比べて大きくなり、そこを流通する流体との接触を良好にすることができる。
また、従来のものと同一の表面積とすればハニカム構造体をコンパクトに製造できる。
【図面の簡単な説明】
【図１】本発明の第１の実施の形態を示すハニカム構造の平面略図。
【図２】図１のＩＩ部拡大図。
【図３】図１のハニカム構造体の製造方法を示す説明図。
【図４】本発明の第２の実施の形態を示すハニカム構造の平面図。
【図５】本発明の第３の実施の形態を示すハニカム構造の平面図。
【図６】従来型ハニカム構造体の平面略図。
【図７】図６のＶＩＩ  部拡大図。
【符号の説明】
１，２  エレメント
３  線接触部
４  ろう材
【図１】
2004216240.tif 000003
【図２】
2004216240.tif 000004
【図３】
2004216240.tif 000005
【図４】
2004216240.tif 000006
【図５】
2004216240.tif 000007
【図６】
2004216240.tif 000008
【図７】
2004216240.tif 000009
(57)【要約】【課題】カードの裏面にある、英字、数字、記号、簡単な形、等の凹みを、親指の腹でこすり、凹みが何であるか、目で見ること無く答える頭脳カードゲームにするため、カードを小型化し、持ちやすくするとともに、この頭脳カードゲームのルールを簡単にするのが目的である。【解決手段】持ちやすい形にしたカード１を、片手の人指し指と中指の腹でカード表面を押さえて、親指の腹でカード裏面を押さえる。親指の腹でカードをこすり、カード裏面の凹み部２が何であるか、目で見ること無く答える。この頭脳カードゲームのルールは簡単で、カードの裏面にある、英字、数字、記号、簡単な形、等の凹みが何であるかを当てることができれば一点である。【選択図】  図２
2004216099.tif 000002
【特許請求の範囲】
【請求項１】
カードの裏面に一つある英字、数字、記号、簡単な形、等の凹みが何であるか、親指の腹でこすり、目を使わずに確認するため、こすりやすく、持ちやすい大きさ、厚さ、形、凹みの深さにしたカード。
【請求項２】
片手の人指し指と中指の腹でカード表面を押さえ、親指の腹でカード裏面を押さえて持ち、親指の腹でカード裏面にある英字、数字、記号、簡単な形、等の凹みをこすり、凹みが何であるか、目を使わずに当てるカードゲーム。
【請求項３】
カード裏面にある凹んだ英字、数字、記号、簡単な形、等の上下を確認できるように、カード表面下部に丸い印を付けたカード。
【発明の詳細な説明】
【０００１】
【発明に属する技術分野】
本発明は、カードに凹み部分を作り、裏面として下に向け、片手の人指し指と中指の腹でカードの表面を押さえ、親指の腹でカードの裏面を押さえて持ち、親指の腹でカード裏面をこするため、持ちやすい大きさ、厚さ、形にした。縦は約４５ｍｍ、横は約３３ｍｍ、厚さは約２ｍｍ、凹みの深さは約１ｍｍとし、カードはプラスチック等の軽い物を使う。カードの凹み部分に使う形の種類は、英字、数字、記号、簡単な形、等で、一つのカード裏面に一つ使うが、棒線等の簡単な形であれば比較的確認しやすいため、二本、三本と凹みを増せる。カードを持つ前にカード裏面の上下を確認しなければならないため、カード表面下部に丸い印を付けた。丸い印がある方を手前に向けて持つようにすればカード裏面にある英字、数字、記号、簡単な形、等の上下左右が分かる。
【０００２】
【従来の技術】
頭脳カードゲームはいくつかあるが、親指の腹だけで、カード裏面の凹みをこすり、目を使わずに確認する小形の頭脳カードゲームは無かった。また従来のカードゲームは覚えなければならないルールがいくつかあり、覚えるのに時間がかかった。
【０００３】
【発明が解決しようとする課題】
本発明は、親指の腹で、英字、数字、記号、簡単な形、等を目を使わずに確認して答えるため、持ちやすい小形の頭脳カードの研究をすすめ、気軽にゲームに取り組めるように、カードの裏面の凹んだ英字、数字、記号、簡単な形、等が何であるかを当てれば一点という簡単なルールの頭脳カードゲームの研究をすすめた。
【０００４】
【課題を解決するための手段】
親指の腹だけでカード裏面の凹みを確認するため、カードを小型化でき、カード裏面にある英字、数字、記号、簡単な形、等の部分が凹んでいるため、重ねてコンパクトに収納できるようにした。カード裏面に使う形が英字、数字、等であれば限りがあり、飽きてしまうが、簡単な形、難しい形、等はいくらでもデザインでき飽きにくいため、カード裏面の形が何であるかを当てれば一点という簡単なルールにすることができた。
【０００５】
【発明の実地の形態】
本発明は、カード１にあるカード裏面の凹み部２に使う英字、数字、記号、簡単な形、等が何であるかを親指の腹でこすり、目を使わずに当てるだけのカードゲームであるので取り組みやすい。親指の腹で、比較的確認しやすいカード裏面の凹み部２の形を例に上げ図面にした。カードを持つ場合、カード裏面の上下が分かるように、カード表面下部の丸い印３を入れた。丸い印がある方を手前に向けて持つようにすれば、英字、数字、記号、簡単な形、等の上下左右が分かる。
【０００６】
【発明の効果】
このようにカードの裏面の英字、数字、記号、簡単な形、等の凹みが何であるか、親指の腹で確認し、当てるだけであるので、空いた時間に一人でも数人でも使用できる。指をこする作業だけで、脳が活性化する事は医学的に証明されており、目を使わずに親指の腹で英字、数字、記号、簡単な形、等を確認するため、創造力を高めることができ、惚けの防止にもなる。利き手での使用が慣れたら、もう一方の手でも楽しめる。親指の腹でカード裏面をこすり、目を使わずに当てるという特徴のあるゲームであるため、子供をはじめ大人にも興味をもたせることができる。一人でカードを使用する場合、親指の腹でカードをこすり、裏面が何であるか分かったら確認する。数人でゲームをする場合は、カードの裏面を下に向け、テーブル等に重ねて置き、順番に一枚取って親指の腹で、カードの裏面の英字、数字、記号、簡単な形、等が何であるかを当てる。当てた枚数が点数になる。一枚当てれば一点である。似た形、等の凹みの場合、ある程度の確認はできるが、あとは運まかせで答えることになる。そのため、似た形、等の凹みを数枚入れてゲームをする事により、運しだいでは初心者や苦手な人でも勝利する事ができる。
【図面の簡単な説明】
【図１】カードとその持ち方の正面図である。
【図２】カード裏面の斜視図である。
【図３】カード表面の斜視図である。
【符号の説明】
１  カード。
２  カード裏面の凹み部。
３  カード表面下部の丸い印。
【図１】
2004216099.tif 000003
【図２】
2004216099.tif 000004
【図３】
2004216099.tif 000005
(57)【要約】【課題】従来の椅子の座面の広さは，通常に足を前に垂らして座るように設定されているため，あぐらや正座をするには座面が狭すぎた。また，あぐらや正座に合わせて座面の広さを設定すると，足を前に垂らして座るという通常の座り方ができない，もしくはしづらい形態となってしまう。【解決手段】従来の椅子の座面より広くなる座面の端の左右と前の部分を，リクライニング形式で可動式にするか，もしくは，座面の下方にスライドできるような形態にし，座面の広さを調節できるようにすることにより，さまざまな座り方に対応できるようにする。【選択図】    図１
2004216092.tif 000002
【特許請求の範囲】
【請求項１】
座面の広さを調節でき，さまざまな座り方に対応できる椅子
【発明の詳細な説明】
【０００１】
【発明が属する技術分野】
本発明は，椅子の座面の広さを調節可能にした椅子に関するものである。
【０００２】
【従来の技術】
従来の椅子の座面は，座面に腰掛けて足を前に垂らして座るよために適した広さに設定されている。
【発明が解決しようとする課題】
【０００３】
解決しようとする問題点は，従来の椅子の座面の広さを調節可能にすることにより，通常に足を前に垂らして座るだけではなく，あぐらや正座など，さまざまな座り方に対応できるようにするという点である。
【０００４】
【課題を解決するための手段】
椅子の座面の端をリクライニング形式で可動式にするか，もしくは，座面の下方からスライドさせる方法をとり，座面の広さの調節を可能にすることを最も主要な特徴とする。
【０００５】
【発明の実施の形態】
従来の椅子の座面より広くなる座面の端の左右と前の部分を，リクライニング形式で可動式にするか，もしくは，座面の下方にスライドできるようにし，座面の広さを調節できる形態にしたものである。
【０００６】
【実施例】
通常の（腰をかけて足を前に垂らす）座り方で椅子に座るときには，座面の端の左右と前の部分はリクライニング形式で下方に倒しておき，座り方を変えるときには，座面の広さを調節する。例えば，あぐらをかくときには，座面の端３方向すべてを座面と水平になるように広げ，正座をするときには，座面の端の前の部分のみを広げて使用する。
【発明の効果】
【０００７】
以上説明したように，本発明の「座面の広さを調節できる椅子」は，座面を広げることにより，あぐらや正座をすることができる。また，座面の広さを元に戻すことにより，通常の（腰をかけて足を前に垂らす）座り方で座ることができる。
【図面の簡単な説明】
【図１】通常の椅子の座面より広くなる座面の端の左右と前の部分を，リクライニング形式で可動式にしたもの。（実施例１）
【符号の説明】
１  座面の端の左右の可動部分の形態例
２  座面の端の前の可動部分の形態例
【図１】
2004216092.tif 000003
(57)【要約】【課題】簡単に様々なベッドにおいて使用する事が出来、お年寄りや力のない人でも小さな力で寝たきりの被介護者の腰部や身体の一部を持ち上げ、その状態を維持することが出来る人体リフターを提供する。【解決手段】同一形状の二つの円弧状枠体２１、２２を両端のスペーサー８１，８２を介して平行に立設し支持体１０となし、この上記支持体１０の枠体２１、２２間に枠体２１、２２と同じ曲率の槓桿３を支持体の円弧の頂点からずれた位置で回転軸６にて軸支し、この槓桿３は頂点側を長くその反対側を短くし、長い側の先端にハンドル４を設け、短い側の先端にはフック５を取り付けた構造とし、更に回転した槓桿３を停止させる棒状ストッパー７を槓桿３の頂点側に回転可能に取り付ける。【選択図】    図１
2004216096.tif 000002
【特許請求の範囲】
【請求項１】
同一形状の二つの円弧状枠体（２１、２２）を両端のスペーサー（８１，８２）を介して平行に立設し支持体（１０）となし、この上記支持体（１０）の枠体（２１、２２）間に枠体（２１、２２）と同じ曲率の槓桿（３）を支持体の円弧の頂点からずれた位置で回転軸（６）にて軸支し、この槓桿（３）は頂点側を長くその反対側を短くし、長い側の先端にハンドル（４）を設け、短い側の先端にはフック（５）を取り付けた構造とし、更に回転した槓桿（３）を停止させる棒状ストッパー（７）を槓桿（３）の頂点側に回転可能に取り付けられている事を特徴とする人体リフター。
【発明の詳細な説明】
【０００１】
【発明の属する技術分野】
本発明は寝たきりの被介護者のおしめ交換や身体を拭う等の介護作業を容易にする為の人体リフターに関する。
【０００２】
【従来の技術】
寝たきりの要介護者の介護作業として頻繁に行われるおしめ交換、着替えや身体を拭う作業は介護者が二人掛りで被介護者を左右に寝返りさせながら行っており非常に手間と労力を掛けて行っている。また従来のリフターは家庭で使用するには大仕掛けの物で扱い難いものであったり、軽量で単純な構造であっても介護者が体力のないお年寄りである場合に使用し辛いものであった。
【０００３】
【発明が解決しようとする課題】
本発明は家庭のベッドでも容易に使用することが出来、介護者がお年寄りなどの体力のない人でも無理なく要介護者の身体の一部を持ち上げてその体勢を維持する事が出来る事によりおむつの交換等の介護作業を容易にする事を目的とする。
【０００４】
【課題を解決するための手段】
本発明はこれら課題を解決し、所期の目的を好適に達成するためになされたものである。本発明の人体リフターは同一形状の二つの円弧状枠体（２１、２２）を両端のスペーサー（８１，８２）を介して平行に立設し支持体（１０）となし、この上記支持体（１０）の枠体（２１、２２）間に枠体（２１、２２）と同じ曲率の槓桿（３）を支持体の円弧の頂点からずれた位置で回転軸（６）にて軸支し、この槓桿（３）は頂点側を長くその反対側を短くし、長い側の先端にハンドル（４）を設け、短い側の先端にはフック（５）を取り付けた構造とし、更に回転した槓桿（３）を停止させる棒状ストッパー（７）を槓桿（３）の頂点側に回転可能に取り付けられている事を特徴とする。
【０００５】
また使用する際の状況に応じて引き上げ高さを変えられるように要介護者の腰部に回した吊り上げベルトの両端に輪を設け、その輪を鎖付きフックに掛け、鎖の適当な位置をこの人体リフターの槓桿のフックに掛けて使用する。
【０００６】
【発明の実施の形態】
以下本発明１の実施の形態の一例を図面を用いて説明する。図１に示すように本人体リフター１は同一形状の二つの円弧状枠体２１、２２を両端のスペーサー８１，８２を介して平行に立設し支持体１０となし、この上記支持体１０の枠体２１、２２間に枠体２１、２２と同じ曲率の槓桿３を支持体の円弧の頂点からずれた位置で回転軸６にて軸支し、この槓桿３は頂点側を長くその反対側を短くし、長い側の先端にハンドル４を設け、短い側の先端にはフック５を取り付けた構造とし、更に回転した槓桿３を停止させる棒状ストッパー７を槓桿３の頂点側に回転可能に取り付け、また本実施例においては安定の為に両枠体の下端には脚部９１、９２、９３、９４を取り付けられるようにした。
【０００７】
また材料にはスチールパイプを用い、耐苛重量は１００Ｋｇ以上とした。寸法はスチールパイプの径を４０ｍｍとし、両スペーサー８１及び８２の間の距離を１０００ｍｍ、スペーサーの長さを３５０ｍｍとした。
【０００８】
被介護者がベッドなど床から一定の高さがある場合には枠体２１、２２と脚部９１、９２、９３、９４の間に延長パイプを継ぎ足して本発明の人体リフターを高くして使用出来るようにした。
【０００９】
次に本発明１を実際の介護作業に使用する状況を図２及び図３を用いて説明する。図２において本発明１を被介護者の腰部が真下に来るように置き、槓桿３のハンドル４を引き上げフック５を下に下げた状態で被介護者の腰部に回した吊り上げベルト１２に鎖付きフック１３を掛け、この鎖を槓桿３のフック５に掛ける。更に図３においてこの槓桿３のハンドル４を更に回転させて下に押し下げるとフック５が上がり、それに伴って被介護者の腰部が吊り上げられる。そしてハンドルを十分に押し下げた状態でストッパー７を９０度回転させてストッパーの両端を円弧状枠体に掛ける事に因り被介護者の腰部を吊り上げた状態で維持することが出来る。その為おしめ交換や身体を拭う介護作業を容易に行うことが出来た。
【発明の効果】
以上に説明したようになされているので、本発明は軽量で取り扱いや移動がし易く、ベッドの種類に関わらず使用することが出来、てこの力で被介護者の腰部や身体の一部を持ち上げたまま維持する事が出来るので通常は労力を要していた介護作業を体力のない人が一人で行うことを可能にすると共に、身体の一部を吊り上げる事が出来る為に医療器具の一つとして使用する事が出来る。
【図面の簡単な説明】
【図１】本発明の実施形態の一例を示す斜視図である。
【図２】本発明の実施例においてハンドルを引き上げフックを下げて被介護者の腰部に繋がる鎖を掛けた状態の側面図である。
【図３】本発明の実施例において被介護者の腰部を吊り上げ棒状ストッパーを円弧状枠体に掛けて槓桿を固定した状態の側面図である。
【符号の説明】
１  本発明の人体リフター
２１、２２    円弧状枠体
３  槓桿
４  ハンドル
５  フック
６  回転軸
７  ストッパー
８１、８２    スペーサー
９１、９２、９３、９４    脚部
１０  支持体
１１  被介護者
１２  吊り上げベルト
１３  鎖付きフック
【図１】
2004216096.tif 000003
【図２】
2004216096.tif 000004
【図３】
2004216096.tif 000005
(57)【要約】      （修正有）【課題】マクラずれを無くし、充分な睡眠と髪かたちを美しく、保つための安眠具を提供する。【解決手段】プラスチックにずれ防止、補強リブを付け敷き布団下側に差し入れ、マクラに掛かる重量利用して、不眠とセットの乱れを防ぐようにした。【選択図】    図２
2004216095.tif 000002
【特許請求の範囲】
【請求項１】
ずれ防止プラスチック製、安眠具
【発明の詳細な説明】
【０００１】［発明の属する技術分野］
この発明は、プラスチックフラット板に角度付け強度を保つ為に、補強リブ付けた安眠具である。
【０００２】［従来の技術］
類似品は現在まで無く、睡眠中マクラ移動し安眠が出来ず、髪かたち乱れる恐れが充分にある。
【０００３】［発明が解決しようとする課題］
本発明は、その欠点無くするために、マクラずれを無くし、充分な睡眠と髪かたちを美しく、保つために安眠具を考案し、試作をすすめた。
【０００４】［課題を解決する手段］
マクラを安定するために、敷き布団下側に発明具、安眠具を差し入れる事によって、本人の体重でマクラ移動を安眠具で、安定固定し使用時のずれをなくした。
【０００５】［発明と実しの形態］
本発明は以上のような構成で安眠具を、敷き布団の下に差し込み本人の体重で安定し、不眠と髪のねぐせが解消出来る。
本発明を実施するために、プラスチック材板を安眠具形状（図面１）に見本を作成し試作効果を確認しています。
【０００６】［発明の効果］
本発明は以上のような構成で、体重で安眠具のずれ固定し何よりも寝心地が良いので、安眠が出来る。
マクラがずれない為に、髪のねぐせが防止できその効果は大である。又軽く使用時も誰でも簡単にでき、使用後簡単に収める事が、安眠具の良さである。
【図面の簡単な説明】
【図１】本発明の製品図
【図２】使用時の断面図
【符号の説明】
（１）プラスチック
（２）安眠具のずれ防止半丸リブ
（３）安眠具の強度を保つ為の補強リブ
【図１】
2004216095.tif 000003
【図２】
2004216095.tif 000004
(57)【要約】【課題】簡単、迅速に長さを調節することが出来て、緊急時には長さを調節せずとも、ハンドバックやショルダーバッグなどとして使えるバッグ等のベルトを提供する。【解決手段】バンドに把手、分離接続の出来る短バンド、折り曲げ部分のための角形のリングを備える。【選択図】図３
2004216091.tif 000002
【特許請求の範囲】
【請求項１】
把手や接続分離が可能な短ベルトやバッグ本体を、角形リングなどで接続したバッグ等の長さ調節の出来るベルト。
【請求項２】
ベルトに曲がりやすい材質のものを使用し、把手や接続分離が可能な短ベルトやバッグ本体にベルトを縫合したりして接続させ、角形リング（イ）２によって接続された部分は、角形リング等を使わず連続したバンドとした請求項１のバッグ等の長さ調節の出来るベルト。
【請求項３】
回動範囲の大きい角形リング（イ）２部分、角形リング（ロ）８部分、角形リング（ハ）９部分以外の接続部分は、縫合したりして接続された請求項１のバッグ等の長さ調節の出来るベルト。
【発明の詳細な説明】
【０００１】
【発明の属する技術分野】本発明は、バッグ等の長さを調節できるベルトに関するものである。
【０００２】
【従来の技術】バンドの一端をバッグに固着させ、他端をおり返し、ベルト固定金具などを利用して長さを調節するものや、バンドの一端をバッグに固着させ、他端を上下させ固定金具などを利用して長さを調節するものや、バンドの両端を上下させ固定金具などを利用して長さを調節するものなどがある。
【０００３】
【発明が解決しようとする課題】使用目的に応じてバッグ等のベルトの長さを簡単迅速に変化させることの出来るベルトを提供する。
【０００４】バッグ携帯中、緊急の場合は長さを変化させずとも手で保持したり、肩から下げて保持できるバッグ等の長さを調節できるベルトを提供する。
【０００５】
【課題を解決するための手段】ベルトに把手や接続分離が可能な短ベルトを装備する。ベルトと把手や短ベルトやバッグ本体等との接続には、角形リングを利用したり、また直接縫合したりして接続させる。短ベルトには、ベルトを長くして使用する場合には分離することが出来、ベルトを短くして把手を手で持つ場合には接続することの出来る接続用の部品を装備する。
【０００６】
【発明の実施の形態】ショルダーバッグなどに使われる十分な長さを持ったベルト１に把手６や、長さを変えるための接続分離可能な短ベルト３を備えさせ、ベルト１と把手６、短ベルト３、バッグ本体７を角形リング２、８、９、１０、１１、１２でもって接続させる。
【０００７】短ベルト３は接続用の部品４、５を備え、バッグ本体７とは縫合などして接続したり、角形リングなどを利用して接続する。
【０００８】ベルト１、把手６、短ベルト３、バッグ本体７を接続させるには、折り曲げしやすい素材をベルトに使用すれば、接続部分に角形リング等は使用しなくてもよく、縫合などして接続する。
【０００９】また角形リング２、８、９が使用されている部分は回動範囲が大きいので角形リングを使用するが、その他の部分は比較的動きが少ないので、縫合したりして接続してもよい。
【００１０】
【発明の効果】図１のようにベルト１を角形リング（イ）２の部分で折り曲げ、短ベルト３の接続用の部品（Ａ）４と接続用の部品（Ｂ）５とを接続させれば、把手６を手で持って使用することが出来る。
【００１１】図２のように接続用の部品（Ａ）４と接続用の部品（Ｂ）５とを分離させ、ベルト１を引き上げれば、ベルト１を肩に掛けてバッグをショルダーバッグのように使うことが出きる。
【００１２】図１のような状態で把手６を手で持って使用していて、緊急に肩に掛けて使用したい時は、図３のように角形リング（ロ）８部分、角形リング（ハ）９部分、角形リング（イ）２部分によって作られる輪状の部分に腕を通し、バンドを肩に掛けてショルダーバッグのように使用することが出来、緊急時には便利である。
【００１３】また、図３のような状態で、角形リング（ロ）８部分、角形リング（ハ）９部分、角形リング（イ）２部分によって作られた輪状の部分を肩に掛けて使用している状態において、即座に把手６を手で持って使用することが出来、緊急時に便利である。
【図面の簡単な説明】
【図１】ベルトを最小限の長さにしている正面図
【図２】ベルトを最大限の長さにしている正面図
【図３】角形リング（ロ）８部分、角形リング（ハ）９部分、角形リング（イ）２部分で作られた輪状の部分が肩などに掛けられる場合の斜視図
【図４】図１の角形リング（ニ）１０付近の拡大図
【図５】図１の角形リング（ホ）１１付近の拡大図
【図６】図１の角形リング（ヘ）１２と角形リング（ロ）８付近の拡大図
【図７】図１の角形リング（イ）２付近の拡大図
【図８】図１の角形リング（ハ）９付近の拡大図
【符号の説明】
１．    ベルト
２．    角形リング（イ）
３．    短ベルト
４．    接続用の部品（Ａ）
５．    接続用の部品（Ｂ）
６．    把手
７．    バッグ本体
８．    角形リング（ロ）
９、    角形リング（ハ）
１０    角形リング（ニ）
１１．  角形リング（ホ）
１２．  角形リング（ヘ）
【図１】
2004216091.tif 000003
【図２】
2004216091.tif 000004
【図３】
2004216091.tif 000005
【図４】
2004216091.tif 000006
【図５】
2004216091.tif 000007
【図６】
2004216091.tif 000008
【図７】
2004216091.tif 000009
【図８】
2004216091.tif 000010
(57)【要約】      （修正有）【課題】醤油さしの注出口にごみやほこりが付かないようにする。【解決手段】醤油さしの上にカバーを付けて、容器と一体にして失わないようにする。【選択図】          図１
2004216086.tif 000002
【特許請求の範囲】
【請求項１】
醤油さしの上にカバーを付けてごみやほこり、小バエなどが入らない
ようにする。
【発明の詳細な説明】
【０００１】産業上の利用分野
食品容器メイカー
【０００２】従来の技術
従来の醤油さしはテーブルの上に置いたままだと、ほこりが付いたり、小バエが入ったりして清潔ではなかった。
【０００３】発明が解決しようとする課題
本発明は醤油さしの上にカバーを付けて、ほこりや小バエなど付かないようにしたものである。
【０００４】問題を解決するための手段
カバーは密着させて小バエが入らなくすればよいが、容器と一体にして失わないようにする。
【０００５】発明の効果
１  醤油さしの上にカバーを付けることで清潔に保てる。
２  醤油さしばかりでなく、ウスターソースやラー油などの容器にも使える。
【図１】
2004216086.tif 000003
【手続補正書】
【提出日】平成15年3月24日(2003.3.24)
【手続補正１】
【補正対象書類名】明細書
【補正対象項目名】図面の簡単な説明
【補正方法】変更
【補正の内容】
【図面の簡単な説明】
【図１】本発明の実施の一例を示す斜視図である。
【符号の説明】
１は、醤油さしのカバー
２は、醤油さし本体
３は、注ぎ口


【手続補正２】
【補正対象書類名】図面
【補正対象項目名】図１
【補正方法】変更
【補正の内容】
【図１】
2004216086.tif 000004
(57)【要約】      （修正有）【課題】鏡に映った映像（虚像）を見ながら、実像をなぞるゲーム機で、脳機能などを活性化し、思考力、集中力、反射神経を高め、老化防止あるいはリハビリ等に役立つものである。【解決手段】本体１の底面に図形を描いた紙等（実像）を置き、その実像に対して直角に鏡２を配置することによって、ゲームをする人は、鏡２を見ながら実像をなぞり、描かれた図形の正確さと早さを競う。【選択図】図８
2004216083.tif 000002
【特許請求の範囲】
【請求項１】
紙等に描かれた任意の図形（実像）を、図形（実像）に対して直角に置いた鏡に映して、その鏡の図形（虚像）を見ながら、紙等に描かれた図形（実像）を鉛筆等でなぞり、なぞって描かれた図形の正確さと速さを競うゲーム機。
【発明の詳細な説明】
紙等に描かれた任意の図形（実像）に対して鏡を直角に置いて、鏡に映った図形（虚像）を見ると前後左右が逆になった映像が見える。本発明はこの原理を利用して、人の通常の感覚を混乱させるゲームである。人は通常、図形を描く時は目で実像の前後左右を確認すると、その情報が脳に伝わり、その結果手を前後左右に自然に動かすことができるのであるが、本発明は実像に対して前後左右が逆の虚像を見ながら実像をなぞるのであるから、脳からの命令と逆の手の動きをさせなければならず、なかなか思うように手を動かすことが出来ない。この自然の動作に逆らって図形を鉛筆等で描かせることにより技を競い合うことができるのである。
本発明はこのゲーム機の目的を達成する為、以下のような構成によるものである。
図１及び図２は、フレーム（１）と鏡（２）からなりたっているゲーム機の全体構成を表す。図１は平面図、図２は側面図である。図３〜図６はこのゲームをするにあたっての、上記説明において紙等に描かれた実像にあたる、任意の図形のほんの一例である。これ以外にもＳ字とか星型とかゲームを面白くさせる為に無数の図形が考えられる。図７はフレーム（１）に置かれた任意の図形が鏡（２）を介して前後左右逆の映像（虚像）となって人の目に視認される状態を表すものである。この時、実像はフレーム（１）の上部の傾斜板にさえぎられ見ることはできない。図８はゲームをする人がフレーム（１）の側面より鉛筆等で鏡（２）の映像（虚像）を見ながら、実像をなぞる状態を表すものである。
このゲームの効果としては、老人クラブ等にて老人が興ずることにより脳の活性化と老化防止に役立つものである。
【図面の簡単な説明】
【図１】ゲーム機本体の平面図
【図２】ゲーム機本体の側面図
【図３】このゲーム機で使用する図形例
【図４】このゲーム機で使用する図形例
【図５】このゲーム機で使用する図形例
【図６】このゲーム機で使用する図形例
【図７】図３〜図６の図形例が人の目に視認される状態を表す側面図
【図８】実際にゲームをする場合の、人の目と手とゲーム機本体との関係を表す側面図
【符号の説明】
１はゲーム機本体
２はゲーム機本体に取り付けられた鏡
【図１】
2004216083.tif 000003
【図２】
2004216083.tif 000004
【図３】
2004216083.tif 000005
【図４】
2004216083.tif 000006
【図５】
2004216083.tif 000007
【図６】
2004216083.tif 000008
【図７】
2004216083.tif 000009
【図８】
2004216083.tif 000010
(57)【要約】【課題】靴を履いた時、違和感がなく、蒸れにくく、靴擦れを起こさず、長時間装着しても足が痛くならない外反母趾・内反小指矯正具を提供する。【解決手段】足の親指と第２指、又は第４指と第５指に巻きつけて両指一体に固定できるバンドと、バンドの両指への巻きつけ状態において両指の間に挟持するパッドとよりなる外反母趾・内反小指矯正具。【選択図】図１
2004216087.tif 000002
【特許請求の範囲】
【請求項１】
足の親指と第２指、又は第４指と第５指に巻きつけて両指一体に固定できるバンドと、バンドの両指への巻きつけ状態において両指の間に挟持するパッドとよりなる外反母趾・内反小指矯正具。
【発明の詳細な説明】
【０００１】
【発明が属する技術分野】
本発明は、外反母趾・内反小指矯正具に関するものである。
【０００２】
【従来の技術】
従来のこの種の矯正具としては、足の中足関節部を内方に押圧する巾とその外周を巻回するバンドの上縁に、親指を第２指間に挿入する弾性部材及び第４指と第５指間に挿入する弾性部材を一体に取り付けた外反母趾及び内反小指矯正用サポータがある。（例えば、特許文献１参照）
【特許文献１】
特許公開２００１−８７２９７号公報（１頁、２頁、図１）
【０００３】
【発明が解決しようとする課題】
しかし、上記サポータは、バンドで足の幅の最も広い部分である中足関節部まで覆われるため、サポータがじゃまになって履く靴が限定されてしまう。そして靴を履いた時ゴロゴロした違和感があり、歩行中靴の中でサポータが当たるため痛くなることが多く長時間装着することが難しい。また、前足部が覆われるため、蒸れ易く、靴擦れを起こしやすい。
【０００４】
【課題を解決するための手段】
本発明が提供する外反母趾・内反小指矯正具は、上記問題を解決することを目的としてなされたもので、足の親指と第２指、又は第４指と第５指に巻きつけて両指一体に固定できるバンドと、バンドの両指への巻きつけ状態において両指の間に挟持するパッドとよりなるものである。
【０００５】
【発明の実態の形態】
以下、本発明の実施の形態を実施例によって図面に基づいて説明する。１は親指と第２指、又は第４指と第５指に巻きつけることのできるバンドである。バンドは自着性伸縮包帯で、巻きつける際包帯自体がくっつくため、別途包帯止めを要しない。２は親指と第２指、又は第４指と第５指の間を開くことのできるパッドで、弾性部材で作られている。
【０００６】
【発明の効果】
上述のように、本発明の外反母趾・内反小指矯正具はバンドが指部分だけで装着でき足の巾の最も広い部分である中足関節部まで覆われないため、靴を履いた時圧迫を受けず、履く靴が限定されることがない。そして靴を履いた時のゴロゴロした違和感や歩行中の痛みが無く長時間装着することができる。また、指部分だけの装着のため、蒸れにくく、靴擦れしにくい。
【０００７】
【他の実施の形態】
図１の実施の形態ではバンドが自着性伸縮包帯であったが、絆創膏、テープ、粘着包帯、輪状のチューブ包帯、ネット包帯などでも良い。
図１の実施の形態ではパッドの形状が直方形であったが、角を丸めた直方形、球形、円錐台形、角錐形などでも良い。
【図面の簡単な説明】
【図１】実施例の外反母趾・内反小指矯正具の斜視図である。
【図２】実施例の外反母趾・内反小指矯正具の使用要領を示す平面図である。
【図３】実施例の外反母趾・内反小指矯正具の使用要領を示す平面図である。
【図４】実施例の外反母趾・内反小指矯正具の使用要領を示す平面図である。
【符号の説明】
１  バンド
２  パッド
【図１】
2004216087.tif 000003
【図２】
2004216087.tif 000004
【図３】
2004216087.tif 000005
【図４】
2004216087.tif 000006
(57)【要約】【目的】ベットのテーブルが最も低位置まで下降する事の出来る工夫【構成】駆動するためのモーターをリモートコントロール、スイッチにより使用する（手動駆動も可能）【選択図】      図１
2004216089.tif 000002
【特許請求の範囲】
【請求項１】
ベース（１）とテーブル（３）の間にコイルバネ（１３）を入れ機構にする事によりテーブル（３）の最初のリフト力を助ける構造になつている
【請求項２】
テーブル（３）に背上げ及び膝上げ機構（１４）を組込む
【請求項３】
リンク（２）が安定保持の為２連になつている
【発明の詳細な説明】
【０００１】
［発明の属する技術分野］
本発明は今までは或る一定の位置までしか技術的降ろす事が出来なかつたものを低位置まで降ろす事を可能にした
【０００２】
［従来の技術］
従来リフターは機構上（リンク機構、力学上）及びスペース的に困難だつたため低位置までテーブル（３）を降ろす事は不可能だつた
【０００３】
［発明が解決しようとする課題］
既存のものはある一定の高さまでしか降ろす事が出来なかつたものを出来る様にした為睡眠時間帯にベットより落ちる事故が無くなる（特に痴呆老人・幼児）又立ち歩く事が不可能で這い歩きの出来る人の為に有効である
【０００４】
［課題を解決するための手段］
今その構成を説明すると、被介護者をベット上で介助を行なうため安定性が必要になるためリンク（２）を２連にし右ネジ（７）左ネジ（８）とモーター（１１）との機構により安定を持たせる又低位置までテーブル（３）が降りた場合リンクが力学上、上向きの力不足になるのをコイルバネ（１３）でバランスを補う構造になつている
【０００５】
［発明の実施の形態］
本発明の実施例について図１〜図３に基づいて説明する図１に示すようにテーブル（３）をリンク（２）によつてスクリユーネジ（右）（７）スクリューネジ（８）をモーター（５）によつテーブル（３）を上昇。下降を行う下降時のリンク機構上の負荷荷重を補うコイルバネ（１３）でバランスを取る様に成つて居り低位置のテーブル（３）の立ち上げの力を補う様に成つておりある程度まで上昇後は既存のベット同様の機構に成るが違う所はリンク（２）が二連式に成つているため安定性に優れている、又背上げ（９）膝上げ（１４）を組み込む事により有効に利用する事が可能になる
【０００６】
［発明の効果］
本発明の介護効果はテーブル（３）が下降時は布団の厚さまで降りるのでベットより人が落ちる事故の心配が無くなります、高齢者（痴呆症）の方等は永年布団での睡眠の習慣をもつ人も多く安眠も出来る又介護時は普通のリフターベット同様上昇、下降適当な位置で停止する事が出来る又手動式ではあるが背上げ（９）膝上げ（１４）機構が有るため有効に利用する事が可能になります。
【図面の簡単な説明】
【図１】本発明に係るリリーフベットの実施例を示す斜視図である
【図２】本発明に係るリリーフベットの駆動モーター使用のスクリューネジ及びリフターリンク機構である
【図３】本発明に係る背上げ（９）及び膝上げ機構（１４）構の利用状態を示す
【符号の説明】
１・・・ベース                ８・・・ナツト。左ネジ
２・・・リンク                ９・・・背上げ
３・・・テーブル            １０・・・ベベルギャー
４・・・マツト              １１・・・リモートコントロールスイッチ
５・・・モーター            １２・・・フットボード
６・・・スクリューネジ      １４・・・膝上げ
７・・・ナツト。右ネジ
【図１】
2004216089.tif 000003
【図２】
2004216089.tif 000004
【図３】
2004216089.tif 000005
(57)【要約】【課題】箸の練習用具として正確な箸の動作を習得出来ること、また、日常の箸として使用する場合も洗浄性が良く衛生的な練習用箸であること。【解決手段】本発明は、二本の棹体の中央部すなわち使用時の親指腹部内側に連結体を設け、連結体の一部分の肉厚を薄くする方法により可撓性を付加し、小さな力により正確な箸の動きを再現できるようにした練習用箸で、プラスチック等にて一体成型により製作したことにより、洗浄性が良く衛生的で日常の使用も可能な練習用箸とした。【選択図】  図２
2004216088.tif 000002
【特許請求の範囲】
【請求項１】
二本の棹体の中央部に連結体が設けられた、プラスチック等にて一体成型により製作された箸において、連結体の一部分の肉厚を薄くする方法により可撓性を付加し、小さな力により正確な箸の動きを再現できるようにした練習用箸。
【請求項２】
箸の使用時、指の各部が接触する部分にくぼみを設けたことを特徴とする、請求項１に記載の練習用箸。
【請求項３】
箸の使用時、指の各部が接触する部分に着色又は凹凸を設けたことを特徴とする、請求項１または請求項２に記載の練習用箸。
【発明の詳細な説明】
【０００１】
【考案の属する技術分野】
本発明は、練習用一体成型箸に関するものである。
【０００２】
【従来の技術】
箸の練習具としては、「特開２００２−８２６０２」に代表される如く、練習専用の道具として考案されている。しかし、この場合使用する毎に二本の箸に取付ける必要があり利便性が悪い、また、取付けたままだと洗浄が困難で否衛生的である。
【０００３】
【発明が解決しようとする課題】
箸の練習用具として正確な箸の動作を習得出来ること、また、日常の箸として使用する場合も洗浄性が良く衛生的な練習用箸であること。
【０００４】
【課題を解決するための手段】
本発明は、二本の棹体の中央部すなわち使用時の親指腹部内側に連結体を設け、連結体の一部分の肉厚を薄くする方法により可撓性を付加し、小さな力により正確な箸の動きを再現できるようにした練習用箸で、プラスチック等にて一体成型により製作したことにより、洗浄性が良く衛生的で日常の使用も可能な練習用箸とした。
【０００５】
【発明の実施の形態】
二本の棹体の中央部すなわち使用時の親指腹部内側に連結体を設け、連結体の一部分（親指の第一間接腹部の位置）の肉厚を薄くする方法により可撓性を付加し、小さな力により正確な箸の動きを再現できるようにした。
上記棹体をプラスチック等の一体成型により製作することにより、洗浄性が良く衛生的で日常の使用も可能な練習用箸とした。
また、箸の使用時、指の各部が接触する部分にくぼみを設けたこと、及び、当該部分に着色または凹凸を設けることにより、箸の持ち方を練習する人が視覚的にも理解することが容易となった。
【０００６】
【実施例】
以下、図面を参照して本発明の実施例を説明する。図１は本発明の練習用箸本体１を実際に使用している状態を示している。図２はプラスチック等にて一体成型された本発明の練習用箸本体１を示している。
【０００７】
練習用箸本体１は、２本の棹体１ａ，１ｂと連結体１ｃがプラスチック等にて一体成型されており、連結体の一部分Ａ部は使用する親指第一間接腹部に位置し、他の部分よりも肉厚が薄く製作されている
【０００８】
使用する際は図１の如く、親指，人差し指，中指，をそれぞれＢ部，Ｃ部，Ｄ部にあてがい、人差し指を前後に動かすと棹体１ａがＡ部を支点としてθ方向に揺動し、棹体１ａの先端Ｅ部が物を掴む運動をする。
【０００９】
練習者は、前記箸の運動に助けられることにより、早期に箸の使い方を習得することが出来る。
【００１０】
練習用箸本体１には、指の各部分が接触するＢ，Ｃ，Ｄ等の部分にくぼみを設けることにより、練習時、指がなじみやすくすることも可能である。
【００１１】
また、前記Ｂ，Ｃ，Ｄ等の部分に着色または凹凸を設けることにより、視覚的に練習を援助することも可能である。
【００１２】
【発明の効果】
本発明の練習用箸は次の顕著な効果をもたらす。
（１）練習用箸本体１のＡ部の肉厚を薄くし可撓性を付加し、正確な箸の動きを再現できるようにしたことにより、練習者の指の動きを援助し、早期に箸の使い方を習得することが出来た。
（２）練習用箸本体１をプラスチック等により一体成型したことにより、洗浄性が良く衛生的で日常の使用も可能となった。
（３）指の各部分が接触するＢ，Ｃ，Ｄ等の部分にくぼみを設けることにより、指がなじみやすくなり、箸の使い方の習得に効果があった。
（４）指の各部分が接触するＢ，Ｃ，Ｄ等の部分に着色または凹凸を設けることにより、視覚的に指の位置が確認でき、箸の使い方の習得に効果があった
【図面の簡単な説明】
【図１】練習用箸を実際に使用している状態図
【図２】練習用箸本体
【符号の説明】
１          練習用箸本体
１ａ，１ｂ  棹体
１ｃ        連結体
Ａ          連結体１ｃの肉厚を薄くした部分
Ｂ          親指をあてがう部分
Ｃ          人差し指をあてがう部分
Ｄ          中指をあてがう部分
Ｅ          棹体１ａの先端部分
θ          棹体１ａの揺動方向
【図１】
2004216088.tif 000003
【図２】
2004216088.tif 000004
(57)【要約】      （修正有）【課題】従来のラジコシ機等のコントローラーはレバー、ボリューム或いはスイチ等が多数取付けられており、操作が極めて煩雑で、取り扱いに慣れるまでは長時間を要する。【解決手段】コントローラーを前後に傾ければラジコン機等の昇降舵等が作動し機首の上げ下げができ、左右に傾ければ補助翼等が作動し機体等を左右に傾けることができるようにする。また、方向舵等の操作はレバー等をコントローラーの左右上部の適当な位置に取付け、通常これを手の親指で操作し、左のレバー等を操作すれば左旋回等し、右のレバー等を操作すれば右旋回等ができるようにする。更にコントローラーを持ちやすくするとともに、実際の操縦桿のような感覚を付加し、あたかも実際の航空機の操縦桿等を操作するような感覚で初心者等で操縦等ができるようにする。【選択図】  図１
2004216090.tif 000002
【特許請求の範囲】
【請求項１】
ラジオコントロール航空機及びテレビゲーム等（以下、ラジコン機等という）のコントローラーにジャイロスコープ等垂直方向等を検出できる装置（以下、ジャイロ等という）を組み込み、コントローラー自体を前後に傾ければ昇降舵等が作動し、左右に傾ければ補助翼等が作動するようにしたラジコン機等のコントローラー
【請求項２】
ラジコン機等の方向舵等の操作はレバーまたはボタン等（以下、レバー等という）をコントローラーの左右上部の適当な位置に取付け、通常これを手の親指で操作し、操作する人から見て左のレバー等を操作すれば左旋回等し、右のレバー等を操作すれば右旋回等ができ、また、コントローラーの両側に把手を取付け操作性等を向上させたラジコン機等のコントローラー
【発明の詳細な説明】
【０００１】
【発明の属する技術分野】
従来のラジコン機等のコントローラーはレバー、ボリューム或いはスイチ等が多数取付けられており、操作等が極めて煩雑で取り扱いに慣れるまでは長時間を要するとともに、実際の航空機等とは全く異なる操縦方法であるため操縦等に実感がわかず面白みがないという不具合を有している。このような不具合を軽減し、実際の航空機等を操縦しているような感覚を付加するため、ラジコン機等のコントローラーにジャイロ等を組み込みコントローラー自体を前後に傾ければ昇降舵等が作動し、左右に傾ければ補助翼等が作動し、また、方向舵等の操作はレバー等をコントローラーの左右上部付近の適当な位置に取付げ、通常これを手の親指で操作し、左のレバー等を操作すれば左旋回等し、右のレバー等を操作すれば右旋回等できるようにする。更に、コントローラーの両側に把手を取付けコントローラーを持ちやすくするとともに、実際の操縦桿のような感覚を付加すれば、あたかも実際の航空機の操縦桿等を操作するような感覚でラジコン機等の操縦等を楽しむことができる。
【０００２】
【従来の技術】
従来のラジコン機等のコントローラーはレバー、ボリューム或いはスイチ等が多数取付けられており、操作等が極めて煩雑で、取り扱いに慣れるまでは長時間を要するとともに、実際の航空機等とは全く異なる操縦方法であるため操縦等に面白みがないという不具合を有している。
【０００３】
【発明の実施の形態】
このラジコン機等のコントローラーの製作にあたっては、コントローラーに垂直方向等を検出できるジャイロ等を組み込み、コントローラーの傾きに対応した出力等が出るようにして、コントローラーを操作する人から見て前方にに傾ければ昇降舵等が作動し機首等が下がり、後方に傾ければ同じく昇降舵等が作動し機首等が上がるようにする。また、コントローラーを左に傾ければ補助翼等が作動し機体等が左に傾き、右に傾ければ同じく補助翼等が作動し機体等は右に傾くようにする。
方向舵等については指等で押した力等に対応する出力等が出て、指をはなせば元に復帰し出力がゼロになるようなレバー等をコントローラーの左右上部付近の適当な位置に取付け通常これを手の親指で操作し、操作する人から見て左のレバー等を操作すれば左旋回等し、右のレバー等を操作すれば右旋回等ができるようにする。また、コントローラーの両側に把手を取付けコントローラーを持ちやすくするとともに、操縦稈のような感覚を付加する。
使用にあたっては、前述のとおり機首等を上げる場合にはコントローラーを操作する人から見て手前に傾け、機首等を下げる場合には前方に傾ければよい。機体等を左に傾ける場合はコントローラーを左に、右に傾ける場合にはコントローラーを右に傾ければよい。
方向舵等の操作はコントローラーの左右上部付近に取付けてあるレバー等を、通常手の親指で操作し、左旋回させたい場合は左のレバーを操作し、右旋回させたい場合は右のレバーを操作すればよい。また、コントローラーの両側に取付けてある把手は実際の航空機の操縦桿のような感覚で握ることができ、あたかも実際の航空機の操縦桿を操作するような感覚で初心者等でも比較的簡単にラジコン機等の操縦を楽しむことができる。
【０００４】
【発明の効果】
本発明は、ラジコン機等を操縦する際、コントローラーを前後に傾ければラジコン機等の昇降舵等が作動し、左右に傾ければ補助翼等が作動するようになる。また、方向舵等の操作はコントローラーの左右上部の適当な位置に取付たレバー等を操作すれば左右の旋回等が出来るようになる。更に、コントローラーの両側に取付けた把手はコントローラーを持ちやすくするとともに、実際の操縦桿のような感覚を付加し、あたかも実際の航空機の操縦桿等を操作するような感覚で初心者等でも比較的簡単にラジコン機等の操縦等を楽しむことができる。
【図面の簡単な説明】
【図１】コントローラーの斜視図であり、概念図である。
なお、アンテナを除き本発明にかかわるもの以外は省略している。また、ジャイロ等についてはコントローラーの内部に組み込まれるため破線で示している。
【符号の説明】
１  ジャイロ等
２  レバー等
３  把手
４  アンテナ
【図１】
2004216090.tif 000003